(57)【要約】【課題】防具前面を覆う２枚の透明樹脂板を間隙を空けて重ねて保持する場合に、これら透明樹脂板の加工を簡単にし、軽量化し、その加工工数を少くし、生産性を良好にする。【解決手段】衝撃吸収体３６は、競技者の頭部前面を覆い保護防具１０の左右側方に伸びるように平板状の透明弾性板を湾曲させて保持した透明下地弾性板３８と、この下地弾性板３８の前面を間隙を空けて覆うように平板状の透明弾性板を湾曲させ両端を前記下地弾性板３８の左右両端に固定した透明表面弾性板４０と、下地弾性板３８および表面弾性板４０の左右両端を結束して保護防具１０に固定するバンド４２、４４と、を備え、表面弾性板４０に加えた衝撃を、両弾性板間３８、４０の空隙および両弾性板３８、４０の弾性変形により吸収するようにした。【選択図】図２
2015033487.tif 000002
【特許請求の範囲】
【請求項１】
競技者の顔面前面を覆う衝撃吸収体を設けた武道用頭部保護防具において、
前記衝撃吸収体は、競技者の頭部前面を覆い前記保護防具の左右側方に伸びるように平板状の透明弾性板を湾曲させて保持した透明下地弾性板と、
この下地弾性板の前面を間隙を空けて覆うように平板状の透明弾性板を湾曲させ両端を前記下地弾性板の左右両端に固定した透明表面弾性板と、
前記下地弾性板および表面弾性板の左右両端を結束して前記保護防具に固定するバンドと、を備え、
前記表面弾性板に加えた衝撃を、両弾性板間の空隙および前記両弾性板の弾性変形により吸収するようにした武道用頭部保護防具。
【請求項２】
保護防具には競技者の顔面に対向する開口を閉じ前方に膨出した曲面を持つ透明曲面防護板が固定され、下地弾性板および表面弾性板はこの透明曲面防護板の前面に対向して保持されている請求項１の武道用頭部保護防具。
【請求項３】
透明曲面防護板はポリカーボネート樹脂製であり、下地弾性板および表面弾性板はアクリル樹脂製である請求項２の武道用頭部保護防具。
【請求項４】
透明防護板と下地弾性板との間には競技者の視界を妨げない位置に弾性を有するスペーサが挟持されている請求項２の武道用頭部保護防具。
【請求項５】
下地弾性板と表面弾性板との間には、競技者の視界を妨げない位置に衝撃検出センサが取り付けられている請求項１の武道用頭部保護防具。
【請求項６】
武道用頭部保護防具に装着され競技者の顔面前面を覆う衝撃吸収体であって、
前記武道用頭部保護防具の前面を覆い前記保護防具の左右側方に伸びるように湾曲する平板状の透明弾性板からなる下地弾性板と、
この下地弾性板の前面を間隙を空けて覆うように湾曲し両端を前記下地弾性板の左右両端に固定した透明弾性板からなる表面弾性板と、
前記下地弾性板および表面弾性板をこれらの左右両端を結束して前記保護防具に保持する固定バンドと、
を備えることを特徴とする衝撃吸収体。
【発明の詳細な説明】
【技術分野】
【０００１】
この発明は、日本古来の剣術や空手などの武術競技や、模擬刀剣などの道具を用いるスポーツあるいは娯楽などに用いる武術頭部保護防具と、これに用いる衝撃吸収体に関するものである。
【背景技術】
【０００２】
従来より日本古来の伝統武道である剣道や空手などの武術では、競技者の顔面および頭部を保護するための面保護防具を用いることが多い。また木刀や竹刀や模擬刀剣などを使用するスポーツとしての競技あるいは娯楽において、競技者の頭部を保護するための面保護防具が用いられることもある。
【先行技術文献】
【特許文献】
【０００３】
【特許文献１】特開平９−１０８３９５号公報
【特許文献２】特開平１１−１２８４３４号公報
【０００４】
特許文献１には、剣道用面防具において、競技者の顔面前方を覆う透明な防護体を、外側防護体と内側防護体との二重構造とし、両者を間隙を空けて積層した構造が開示されている。この場合に外側防護体を透明アクリル樹脂とし、内側防護体を透明ポリカーボネート樹脂とすることにより、視界を確保している。
【０００５】
そして、木刀や竹刀などの打撃により防具前面に大きな衝撃が加わった時には、アクリル製の外側防護体が先に破壊されるようにしている。すなわちポリカーボネイト製の内側防護体に打撃に伴う衝撃ダメージが蓄積しににくくし、外側防護体が内側防護体よりも先に破壊されるようにするものである。この結果、顔面を打撃から保護するものである（段落００５３、００５４、図１２、１３、１５など参照）。特許文献２は発明者が前記特許文献１の発明者と同じであり、特許文献１とほぼ同じ内容を開示している（段落００５１、００５２、図１４、１６、１７など参照）
【発明の概要】
【発明が解決しようとする課題】
【０００６】
特許文献１、２に記載のものでは、面防具の前面に設けた開口部に、この開口部を塞ぐ形状であって中央付近を前方へ膨出させた形状の内側防護体を固定し、この外面の曲面に倣って前方へ膨出させた外側防護体を重ねて固定している。この時両防護体の間には間隙ができるようにしている。すなわちこれらの内側および外側防護体は共に、面防具の前面の曲面に倣って膨出する曲面に成形する必要がある。
【０００７】
これらの防護体にはポリカーボネートやアクリル樹脂などの透明性に優れる樹脂を用いるが、これらは前記面防具前面に倣った曲面に加工する必要がある。この加工は立体的な３次元の曲面の加工であるため、特殊な型が必要であり加工に手数が掛かり加工工数が増大する。また内側と外側の防護体の間隙を小さく一定に保つためにはこれらの曲面加工精度を高くする必要が生じ、生産性が悪くなる。さらに内側防護体に厚さ２〜４ｍｍの厚いポリカーボネート樹脂を用いる場合は、曲面膨出加工に特別な装置が必要になるばかりでなく重量も相当に大きくなり、前記の膨出加工性も悪くなる。
【０００８】
この発明はこのような事情に鑑みなされたものであり、防具前面の開口部を覆う防護体（衝撃吸収体）として２枚の透明樹脂板を間隙を空けて重ねて保持する構造とする場合に、これら透明樹脂板の加工が簡単で、軽量化に適し、その加工工数が少なくなり、生産性が良好な武道用頭部保護防具を提供することを第１の目的とする。またこれに用いる衝撃吸収体を提供することを第２の目的とする。
【課題を解決するための手段】
【０００９】
この発明によれば第１の目的は、競技者の顔面前面を覆う衝撃吸収体を設けた武道用頭部保護防具において、前記衝撃吸収体は、競技者の頭部前面を覆い前記保護防具の左右側方に伸びるように平板状の透明弾性板を湾曲させて保持した透明下地弾性板と、この下地弾性板の前面を間隙を空けて覆うように平板状の透明弾性板を湾曲させ両端を前記下地弾性板の左右両端に固定した透明表面弾性板と、前記下地弾性板および表面弾性板の左右両端を結束して前記保護防具に固定するバンドと、を備え、前記表面弾性板に加えた衝撃を、両弾性板間の空隙および前記両弾性板の弾性変形により吸収するようにした武道用頭部保護防具、により達成される。
【００１０】
同様に第２の目的は、武道用頭部保護防具に装着され競技者の顔面前面を覆う衝撃吸収体であって、前記武道用頭部保護防具の前面を覆い前記保護防具の左右側方に伸びるように湾曲する平板状の透明弾性板からなる下地弾性板と、この下地弾性板の前面を間隙を空けて覆うように湾曲し両端を前記下地弾性板の左右両端に固定した透明弾性板からなる表面弾性板と、前記下地弾性板および表面弾性板をこれらの左右両端を結束して前記保護防具に保持可能とした固定バンドと、を備えることを特徴とする衝撃吸収体、により達成される。
【発明の効果】
【００１１】
この発明は、防具前面の開口部を覆う防護体（衝撃吸収体）を、横長に成形した２枚の平板状の透明弾性板を湾曲させ間隙を空けて重ね、防具に保持する構造としたから、これら透明弾性板を防具前面の開口部を覆って中央付近が前方へ膨出するように加工することが不要であり、加工が極めて簡単である。また内側と外側の弾性板の弾性を利用して衝撃を分散させるから、打撃力を効率良く吸収して競技者に伝わる衝撃を著しく軽減することができる。
【００１２】
２枚の弾性板の弾性を利用するから、強度上不都合がない限りそれぞれの透明弾性板の厚さを薄くして軽量化が可能になる。さらに製作にあたっては、各透明弾性板を所定の横長形状に成形して湾曲させるだけであり膨出加工による曲面形成が不要であるから、その加工工数が少なくなり、生産性が良好となる。請求項６の発明によれば、この頭部保護防具に用いる衝撃吸収体が得られる。
【図面の簡単な説明】
【００１３】
【図１】本発明の実施例である頭部保護防具の分解斜視図
【図２】同じく左側面図
【図３】同じく平面図
【図４】他の実施例を示す正面図
【図５】同じく右側面図
【図６】同じく平面図
【発明を実施するための形態】
【００１４】
保護防具には、競技者の顔面に対向する開口を閉じた透明曲面防護板の周縁が固定されているものが有る。この透明曲面防護板は中央付近が前方に膨出した曲面を持つ。この場合には、この透明曲面防護板の前面に下地弾性板を対向させて保持すればよい（請求項２）。下地弾性板は透明曲面防護板に一部が接触しても良いが、離れていても良い。この場合には、下地弾性板と表面弾性板の下に透明曲面防護板があるので、競技者頭部の保護効果が増大する。また下地弾性板と表面弾性板を薄くしても十分な強度を確保することができるから、軽量化に適する。なを請求項１の発明では、透明曲面防護板を持たないものを含む。
【００１５】
透明曲面防護板はポリカーボネート製とし、下地弾性板および表面弾性板はアクリル樹脂製とすることができる（請求項３）。これらは共に高い透明性を有するからである。またポリカーボネート（ポリ炭酸エステル）樹脂は特に耐衝撃性に優れ、顔面保護に最適であり、アクリル樹脂は弾性に富みかつ衝撃に耐える特性があるため、下地弾性板と表面弾性板の弾性を利用して衝撃吸収する本発明に最適である。
【００１６】
透明曲面防護板と下地弾性板との間には競技者の視界を妨げない位置に弾性を有するスペーサを挟持しておけば、下地弾性板の位置が安定し、競技者の動作によってこれらが振動したりするのを防ぐことができる（請求項４）。例えば競技者の額の前方にこのスペーサを左右２つ配置することにより、下地弾性板を透明曲面防護板の中央付近（競技者の鼻付近）とこれらのスペーサとで３点支持あるいは４点支持とすることにより安定させることができる。
【００１７】
下地弾性板と表面弾性板との間には、競技者の視界を妨げない位置に衝撃検出センサを取り付けておけば、このセンサの検出出力に基づいて競技の相手方が加えた打撃の有無や打撃の強さを電気的に判定することが可能になる（請求項５）。この場合、適切な打撃であるか否かを電気的に判定することにより競技判定の適正化に適する。
【実施例１】
【００１８】
図１〜３において、符号１０は本発明に係る頭部保護防具である。この頭部保護防具１０は、競技者の頭部１２（図２）を覆って頭部１２を保護するものであり、前面に顔面が前方に向かって露出する顔面露出用開口部１４（図１）が形成されている防具本体１６と、この顔面露出用開口部１４を前方から覆う透明曲面防護板１８とを備える。
【００１９】
この透明曲面防護板１８は、硬度が高く耐衝撃性に優れるポリカーボネート樹脂（炭酸エステル樹脂）製であり、その中央付近すなわち競技者の顔面中央付近に対向する部分が前方に膨出した滑らかな曲面形状である。なお防具本体１６の下面は開口し、頭部１２を下方から進入・脱出可能にしているのは勿論である。
【００２０】
防具本体１６は内面全体に頭部１２をソフトに保護する板状緩衝材２０が接着により取り付けられ（図１）、左右側面には競技者の耳を保護するためのリング状緩衝材２２が取り付けられている。
【００２１】
２４は、頭部保護防具１０を頭部１２に保持するための防具本体固定用バンドであり、防具本体１６の後面に固着した固定部材２６から左右に分かれて下方に伸び、リング状緩衝材２２の後部から下方を通って頭部１２の顎に掛けて締め付けるものである。
【００２２】
透明曲面防護板１８は図１、２に示すように、防具本体１６の顔面露出用開口部１４を覆うほぼ仮面型に形成され、その外周縁部が顔面露出用開口部１４の外周縁部に外側から密着し、この状態に固着されている。すなわちこれらの対応位置にそれぞれ穿設された紐穴に紐２８（図１）を通して結着されている。従って防具本体１６と透明曲面防護板１８とは一体化されて前記防具本体１６が形成される。
【００２３】
透明曲面防護板１８には図１に示すように、競技者の眼球の前方に対向する横長の視界確保用開口部３０と、競技者の鼻先に対向するほぼ三角形の鼻用開口部３２と、競技者の口に対向する左右一対の口用開口部３４とが形成されている。
【００２４】
この透明曲面防護板１８の前には、本発明に係る衝撃吸収体３６が、取り付けられている。この衝撃吸収体３６は、平板状かつ横長の２枚の透明弾性板（例えばアクリル樹脂製の透明板）を湾曲させてその左右両端縁を結合したものである。
【００２５】
衝撃吸収体３６は、競技者の頭部１２前面（前記透明曲面防護板１８の前面）を覆い前記保護防具１０の左右側方に伸びるように平板状かつ横長の透明弾性板を湾曲させて保持した透明下地弾性板３８と、この下地弾性板３８の前面を間隙を空けて覆うように平板状かつ横長の透明弾性板を湾曲させ両端を前記下地弾性板３８の左右両端に固定した透明表面弾性板４０とを有する。
【００２６】
これら下地弾性板３６と表面弾性板３８の左右側縁は、適宜の結束具（図示せず）で予め結束しておいてもよいが、これらを頭部保護防具１０に固定する弾性板固定バンド４２、４４によって結束しても良い。すなわち固定バンド４２は、前記頭部保護防具１０の上方を通って左右に伸び、その左右両端縁をこれら弾性板３８、４０の左右両隅にそれぞれ設けた取付孔４６、４８に通して結束した幅狭バンド４２ａと、この幅狭バンド４２ａの中央付近を前記固定部材２６に結合する他の幅広バンド４２ｂとを持つ。なおこれらのバンド４２ａ、４２ｂには適宜数の長さ調節具を設けておくのがよい。図１では、バンド４２ｂに長さ調節具４２ｃが示され、図３ではバンド４２ａに長さ調節具４２ｃが示されている。
【００２７】
弾性板固定バンド４４は、その前端を弾性板３８、４０の前記取付孔４６、４８の下方に設けた他の取付孔５０、５２（図１）に通して両弾性板３８、４０の左右縁を結束し、後端を前記固定部材２６に固定したものである。この弾性板固定バンド４４は耳保護用のリング状緩衝材２２の上方を通り頭部保護防具１０の外側面に密着する。この固定バンド４４にも適宜の長さ調節具４４ａ（図１）を取り付けておくのがよい。
【００２８】
下地保護板３８と透明曲面保護板１８の間には、競技者の視界を妨げない位置に弾性を有する適宜数のスペーサ５４（図１）を保持しておくのがよい。下地保護板３８および衝撃吸収体３６の保持を一層安定させることができるからである。このスペーサ５４はゴム製のもので下地保持板３８または透明曲面保護板１８のいずれか或いは両方に接着しておく。
【００２９】
前面弾性板３８と透明曲面防護板１８との間には、競技者の視界の障害にならない位置に、複数の打撃センサー５６が装着されている。すなわち２個の打撃センサー５６は、透明曲面防護板１８の視界確保用開口部３０の上縁より上方に適宜の間隔を持って左右一対固定され、１個の打撃センサー５６がこの下方かつ視界確保用開口部２８の下方に、それぞれ接着固定されている（図２）。
【００３０】
これらの打撃センサー５６は、例えばイナバゴム株式会社より提供される感圧導電性エラストマーセンサーである商品名「イナストマー  ＳＦＲタイプ」が適する。ここに打撃センサー５６は、その上面にドーム型ゴムカバーを接着固定し、打撃の衝撃を緩和させて打撃センサー５６を保護するのがよい。
【００３１】
このように弾性を有する平板状の２枚の透明板を湾曲させ、それらの左右両側縁を結束固定して、防具本体１６の左右側面に添わせるようにしてバンド４２、４４で固定するから、競技中に相手の打撃が表面弾性板４０に加えられると、まずこの表面弾性板４０が歪み、打撃力が強い時にはこの打撃が下地弾性板３８に伝わってこれも歪ませる。これらの弾性板３８、４０の歪みによって打撃力は十分に吸収され、透明曲面保護板１８に過大な打撃力が伝わることの防ぐことができる。
【００３２】
打撃により表面弾性板４０が変形すると、この変形によって打撃センサー５６が作動して打撃の有無、有効無効を判定することができる。この時下地弾性板３８も変形することがあるが、両弾性板３８，４０の間隔変化があれば打撃センサー５６は打撃を検出することができる。打撃が無くなると、表面弾性板４０、下地弾性板３８はこれら自身の弾性復元力によって復元し、これらをもとの位置に戻して次の打撃に備えることになる。
【００３３】
これら打撃センサー５６の出力は、コンピュータからなる判定器（図示せず）に導かれ、ここで打撃の有効無効などが判定される。なお頭部保護防具１０の上面にＬＥＤ（発光ダイオード）等の打撃告知手段５８（図１、３）を設け、判定器の判定結果をここに表示するようにしてもよい。例えば有効な打撃と判定した時にこれを発光させる。この場合、判定器と打撃告知手段５８とを配線で接続しておく。判定器には送受信機を接続し例えば一つのケースに収納して各競技者にそれぞれ持たせておいてもよい。
【００３４】
なおこの頭部保護防具１０には、競技者の首から肩に掛かる首の保護具と、顎から首の前面に延びる喉の保護具とを取り付けるのがよい。頭部保護防具１０は、競技者の胸および腹を保護する胴防具、股間の急所を保護する股間部保護具、あるいは足すねの防具などと組み合わせて用いることができる。この場合にこれらの防具に打撃センサーを設け、頭部保護防具１０の前記打撃センサー５６と共にそれぞれの位置への打撃を検出するようにしてもよい。
【実施例２】
【００３５】
図４、５、６に示す実施例２は、衝撃吸収体３６Ａを防具本体１６Ａに固定する弾性板固定バンド４２Ａ、４４Ａが実施例１のものと異なる。すなわち実施例１では、バンド４２、４４が耳保護用リング上緩衝材２２の上方を通しているので、衝撃吸収体３６はその下部を前方から上方に回転して前面から上方に巻き上げやすいという特有の効果が有る。例えば審判員の指示などにより競技を一時中断する時には、この衝撃吸収体３６を巻き上げて視界から除き、周囲を見やすくすることができる。試合再開時にはこの衝撃吸収体３６を下ろして前面に移動させることにより速やかに再開することができる。
【００３６】
しかしこの場合には、打撃の方向によっては衝撃吸収体３６の固定が不安定であり、練習中などに意に反して上方に跳ね上がることが考えられる。図４〜６の実施例２ではこのように練習中あるいは試合中に意に反して衝撃吸収体３６Ａが跳ね上がるのを防止することができるようにしたものである。
【００３７】
すなわちこの実施例２では、下地弾性板３８Ａと表面弾性板４０Ａからなる衝撃吸収体３６Ａの左右縁の下部に取付孔５２Ａを設け、ここに通したバンド４４Ａをリング状緩衝材２２Ａの下方を通して、防具本体１６Ａの後面に設けた固定部材２２Ａに結合したものである。また衝撃吸収体３６Ａの左右縁の上部は、取付孔４８Ａを通したバンド４２Ａを折り返して両端を、それぞれ防具本体１６Ａの上面を前後に通る頂部バンド４２Ｂと固定部材２２Ａとに結合したものである。なお頂部バンド４２Ｂの前端は下地弾性板３８Ａの上部中央に結合されている。
【００３８】
このため頂部バンド４２Ｂにより衝撃吸収体３６Ａの下方への移動が規制される。またバンド４４Ａはリング状緩衝材２２Ａの下方を通っているので衝撃吸収体３６Ａが意に反して上に跳ね上がるのを防ぐことができる。なおこれらの図４〜６において、１８Ａは透明曲面防護板、５４Ａはスペーサ、５６Ａは打撃センサである。
【符号の説明】
【００３９】
１０、１０Ａ  頭部保護防具
１２  頭部
１４  顔面露出用開口部
１６、１６Ａ  防具本体
１８  硬質透明樹脂製の透明曲面防護板
２６、２６Ａ  固定部材
３０  視野確保用開口部
３６  衝撃吸収体
３８  下地弾性板
４０  表面弾性板
４２、４４、４２Ａ、４４Ａ  弾性板固定バンド
４２ｂ、４２Ｂ  頂部バンド
４６、４８、４８Ａ  取付孔
５０、５２、５２Ａ  取付孔
５４、５４Ａ  スペーサ
５６、５６Ａ  打撃センサー
【図１】
2015033487.tif 000003
【図２】
2015033487.tif 000004
【図３】
2015033487.tif 000005
【図４】
2015033487.tif 000006
【図５】
2015033487.tif 000007
【図６】
2015033487.tif 000008